(57)【特許請求の範囲】
【請求項１】
枠材を組んでなり開口部に設置される枠体と、枠体の左右の縦枠材に対してそれぞれ開閉自在に支持される一方の障子及び他方の障子と、一方の障子の召合框の小口端部から出没自在に設けられるロッド棒を有する開閉規制手段と、を備え、
一方の障子は、召合框の小口を覆うとともにロッド棒が挿通される樹脂製の端部キャップを有し、
端部キャップは、召合框の端部に挿入される外周壁と、ロッド棒が挿通される挿通筒部と、小口面を覆うキャップ部と、挿通筒部の外周面から外周壁に対して放射状に伸びる複数の連結壁部を有し、外周壁は、召合框の内周面と対向する凹壁を有している
ことを特徴とする両開き建具。
【発明の詳細な説明】
【技術分野】
【０００１】
建物開口部に設けられる枠体の左右両縦枠に対して、親障子及び子障子がそれぞれ開閉自在に設けられる両開きの建具に関する。
【背景技術】
【０００２】
従来、建物開口部に設けられる両開き建具においては、その少なくとも一方の障子にフランス落等の固定具を設けて閉鎖位置に固定しておき、通常は、他方の障子の開閉によって開口部の開閉を行っていた。（特許文献１）
【先行技術文献】
【特許文献】
【０００３】
【特許文献１】特開２０１５−８６６６７号公報
【発明の概要】
【発明が解決しようとする課題】
【０００４】
このような両開きの建具においては、例えば風等による外力は一方の障子と他方の障子の両方にかかることになるが、両障子にかかる外力を一方の障子に設けられたフランス落等のロッド棒によって受けることになるため、ロッド棒に荷重が集中してロッド棒が曲がったり、また、ロッド棒にかかる荷重により召合せ框が変形するなどしてロッド棒を框材の内部に収納ができなくなる可能性があった。
【０００５】
本発明は、上記の事情を鑑みたものであり、障子の縦框に設けられたフランス落等のロッド棒が風等の外力により曲がったり、ロッド棒を収容している框材が変形することを防止することを目的とする。
【課題を解決するための手段】
【０００６】
本発明は、枠材を組んでなり開口部に設置される枠体と、枠体の左右の縦枠材に対してそれぞれ開閉自在に支持される一方の障子及び他方の障子と、一方の障子の召合框の小口端部から出没自在に設けられるロッド棒を有する開閉規制手段と、を備え、一方の障子は、召合框の小口を覆うとともにロッド棒が挿通される樹脂製の端部キャップを有し、端部キャップは、召合框の端部に挿入される外周壁と、ロッド棒が挿通される挿通筒部と、小口面を覆うキャップ部と、挿通筒部の外周面から外周壁に対して放射状に伸びる複数の連結壁部を有し、外周壁は、召合框の内周面と対向する凹壁を有していることを特徴とする。
【発明の効果】
【０００７】
本発明によれば、框材の端部において、ロッド棒を確実に案内することができ、かつ、ロッド棒にかかる外力を効率的に框材に伝達して、ロッド棒及び框材の変形を防止することができる。
【図面の簡単な説明】
【０００８】
【図１】本発明の実施形態に係る両開き窓の外観図である。
【図２】本発明の実施形態に係る両開き窓の縦断面図である。
【図３】本発明の実施形態に係る両開き窓の召合せ部の図であり、（ａ）は召合せ部の平面図、（ｂ）は召合せ部の上端における室外からの拡大正面図である。
【図４】本発明の実施形態に係る両開き窓において使用される端部キャップの図であって、（ａ）は上方から見た斜視図であり、（ｂ）は下方から見た斜視図である。
【図５】本発明の実施形態に係る両開き窓において、一方の障子（子障子）の召合框に端部キャップを装着した状態を示す図であり、（ａ）は平面図であり、（ｂ）は室内から拡大正面図である。
【図６】本発明の実施形態に係る両開き窓において、子障子の召合せ框に端部キャップを装着した状態の縦断面図である。
【発明を実施するための形態】
【０００９】
（建具の全体構成）
本発明の建具を、建物開口部に取り付けられる両開き窓の実施形態を用いて説明する。
本発明の実施形態に係る両開き窓は、図１に示すように、上枠１１，下枠１２及び左、右縦枠１３，１４を四周に組んでなり、建物開口部に配置される枠体１に対して、上框２１，下框２２及び左、右縦框２３，２４を四周に組んで内周にガラス等パネルを装着してなる一方の障子（子障子）２、及び、上框３１，下框３２及び左、右縦框３３，３４を四周に組んで内周にガラス等パネルを装着してなる他方の障子（親障子）３が開閉自在に支持されており、子障子２の右縦框２４と親障子３の左縦框３３を召合せ框として、両開き窓を形成している。
そして、子障子２の召合せ框である右縦框２４には、子障子２の閉鎖状態を維持するロッド棒７を備えた開閉規制手段が設けられており、子障子２の右縦框２４の上下端には、ロッド棒７を摺動自在に挿通する端部キャップ５が装着されている。
【００１０】
図２に示すように、枠体１を構成する上枠１１は、建物開口部に固定され枠体１の内周面を形成する上枠本体部１１１と、上枠本体部１１１の室内側下面より垂下される室内側垂下壁部１１２と、上枠本体部１１１の室外側下面より垂下される気密材取付壁部１１３とからなり、室内側垂下壁部１１２の室外側面下端には気密材ｓ１が取り付けられているとともに、気密材取付壁部１１３の下端には下方に向けて気密材ｓ２が取り付けられている。
下枠１２は、建物開口部に固定され枠体１の内周面を形成するとともに室外側下方に中空の水切り部を有する下枠本体部１２１と、下枠本体部１２１の室内側に立ち上がる中空構造の立上壁１２２とから構成されている。
【００１１】
子障子２及び親障子３を構成する上框２１，３１は、子障子２、親障子３の上方外周面を形成する中空部からなる上框本体部２１１，３１１と、上框本体部２１１，３１１の外周面の室外側端より上方に延設される上框室外壁部２１２，３１２とを有しており、子障子２、親障子３を構成する下框２２，３２は、子障子２、親障子３の下方外周面を形成する中空部からなる下框本体部２２１，３２１と、下框本体部２２１，３２１の外周面の室外側端より下方に垂下される下框外壁部２２２，３２２とから構成されている。
図３（ａ）、（ｂ）に示すように、子障子２の召合せ框である右縦框２４は、中空略矩形の右縦框本体部２４１と、右縦框本体部２４１の室外側内周面より延設される右縦框室外壁部２４２と、右縦框本体部２４１の反開放面側である室内側の外周部より親障子３側に向けて延設される召合せ受部２４３とを有しており、右縦框本体部２４１の吊元側内周面には、長手方向に沿って補強材６が配置されている。そして、右縦框２４の内周面の上端部分に上框２１の端面が右縦框室外壁部２４２に飲み込まれるように突き合わされ、補強材６とともに、右縦框本体部２４１に対してビス等の固定手段ｂにより固着されている。補強材６の上方位置には、後述する端部キャップ５の係止片５１１ｂが係止される係止孔６ａが形成されている。
【００１２】
親障子３の召合せ框である左縦框３３は、中空略矩形の左縦框本体部３３１と、左縦框本体部３３１の室外側内周面より延設される左縦框室外壁部３３２と、左縦框本体部３３１の室外側の外周部より子障子２側に向けて突出する召合せ片部３３３とを有している。左縦框３３の内周面の上端部分には上框３１の端面が左縦框室外壁部３３２に飲み込まれるように突き合わされて、ビス等固定手段ｂにより連結されている
そして、図２に示すように、枠体１の上枠１１の室内側垂下壁部１１２に取り付けた気密材ｓ１を上框２１，３１の室内側面に当接させるとともに、上枠１１の気密材取付壁部１１３の下端に取り付けた気密材ｓ２を、子障子２、親障子３の上框２１，３１の上框室外壁部２１２，３１２に当接、もしくは近接させることにより、枠体１と子障子２、親障子３との上辺部分における気密を行っている。
【００１３】
（小口キャップの構成）
本実施形態の両開き窓の子障子２の召合せ框である右縦框２４の上端小口には、ロッド棒７の先端が挿通する端部キャップ５が装着されている。
端部キャップ５は、合成樹脂等からなり、図４（ａ），（ｂ）に示すようにキャップ本体部５１と、キャップ本体部５１の開放側（室外側）の側辺の上端より上方に設けられる当接壁部５２と、キャップ本体部５１の反開放側の側辺の下方位置に設けられる召合せ受部カバー５３とから構成されており、全体として矩形ブロック形状をなしている。
【００１４】
キャップ本体部５１は、右縦框２４の上端を覆うキャップ部５１１と、キャップ部５１１の下面から下方に向かって延びて右縦框２４の小口に挿入される挿入部５１２と、キャップ部５１１の下面の挿入部５１２の戸先側位置から垂下される板状の挟持壁部５１３とから構成されている。
キャップ部５１１は、右縦框２４の上端小口面と略同様の形状をなし、端部キャップ５の装着時には、右縦框２４を構成する形材の端面を覆い、キャップ部５１１の内方部の適宜位置には開口部５１１ａが形成されており、右縦框２４の内部を外気と連通させるとともに、右縦框２４内に侵入した水等の排水を可能にしている。
また、キャップ部５１１の吊元側下面には、端部キャップ５を右縦框２４に取り付けるための係止片５１１ｂが垂下されており、係止片５１１ｂの下端には吊元側に突出する爪部が形成されている。
【００１５】
小口に挿入される挿入部５１２は、キャップ部５１１の形状よりも一回り小さい断面形状を有する外周壁（見込み壁５１２ａ，見付け壁５１２ｂ，５１２ｃ，凹壁５１２ｄ）と、挿入部５１２を上下方向に貫通するように形成され、図示しないフランス落しなどのロッド棒７が上下動自在に貫通する挿通筒部５１２ｅと、挿通筒部５１２ｅの外周面から外周壁の内周面に向かって伸びる複数の連結壁部５１２ｇとから構成されている。
外周壁は、右縦框２４の内周面の形状に対応した戸先側の見込み壁５１２ａ及び室内外側の見付け壁５１２ｂ，５１２ｃと、右縦框２４の吊元側内周面と対向する凹部を形成する凹壁５１２ｄとにより構成されており、キャップ部５１１に設けられた係止片５１１ｂは凹壁５１２ｄにより形成された凹部内に配置されるよう構成されている。
挿通筒部５１２ｅは挿入部５１２の見込み方向中央位置で戸先側寄りに形成されており、ロッド棒７の頭部７ａが上下方向に貫通する断面略四角形状の貫通路を形成している。挿通筒部５１２ｅはキャップ部５１１を貫通して上方に延び、キャップ部５１１の上面に突出する上方筒状部５１２ｆを形成している。
連結壁部５１２ｇは、挿通筒部５１２ｅの室内外の見付け壁５１２ｂ，５１２ｃの複数箇所から見込み方向に向かって放射状に延びており、見込み方向にかかる外力に対する強度を向上させている。
本実施形態においては、最も戸先側の連結壁部ｇにより見込み壁５１２ａの一部が形成されており、最も吊元側で傾斜状に延びる連結壁部ｇにより凹壁５１２ｄの一部が形成されている。
【００１６】
挟持壁部５１３は、外周壁の戸先側の見込み壁５１２ａと対向するように板状に垂下されており、戸先側の見込み壁５１２ａと挟持壁部５１３との間隔は右縦框２４を構成する形材が挟持できるように形材の厚みと略同程度になっている。
当接壁部５２は、キャップ部５１１の室外側の側辺から上方に向かって設けられており、その吊元側はキャップ部５１１の吊元側端部より延設され、延設された当接壁部５２の吊元側部分（吊元側当接壁部）５２ａは見込み方向に薄肉に形成されている。
そして、端部キャップ５を右縦框２４の上端に装着したときに、当接壁部５２の上端が親障子３の上框３１の室外壁部３１２の上端部と略同一高さとなるように当接壁部５２の高さ寸法が設定されている。
召合せ受部カバー５３は、キャップ本体部５１の室内側で戸先側に連続して形成されており、キャップ本体部５１の室内側面に連続する壁面部５３ａと、壁面部５３ａの下端に形成されて召合せ受部２４３の上端を覆うカバー部５３ｂとにより構成されている。
【００１７】
（端部キャップの取付け）
図５（ａ）、（ｂ）に示すように、子障子２の右縦框２４の端部小口に対して、端部キャップ５の挿入部５１２を挿入し、挿入部５１２の戸先側の見込み壁５１２ａと挟持壁部５１３とで右縦框２４の戸先側の一辺２４ａを挟持するとともに、端部キャップ５の吊元側下面に垂設された係止片５１１ｂを右縦框２４に固着された補強材６の係止孔６ａに係止することで、右縦框２４の小口に端部キャップ５を簡単に装着することができ、右縦框２４を形成する形材の端面を覆うことによって、掃除やメンテナンスの際に形材の切りっぱなし状態の端面（小口）等に手や指等が触れるなどしておこる怪我を防ぐことができる。
端部キャップ５の取付けに際しては、端部キャップ５の挿入部５１２を構成する吊元側の外周壁が凹壁５１２ｄにより形成され、右縦框２４の内周との間に凹部が形成されているので、係止片５１１ｂと補強材６の係止孔６ａによる係止手段を形成することができるとともに、右縦框２４と上框２１とのネジ止め等による固定部分によって端部キャップ５の挿入が阻害されることがない。
【００１８】
（端部キャップによるロッド棒及び召合框の支持）
図６に、右縦框２４の上端部に端部キャップ５を装着してロッド棒をガイドしている状態の縦断面図を示している。
右縦框２４の上方端部に装着された端部キャップ５には、ロッド棒７の頭部７ａが上下動自在に案内されており、図示しない操作部を操作することによって端部キャップ５の上端から突出して上枠１１に設けられたロッド受け８に係合する閉鎖位置と、端部キャップ５及び右縦框２４内に収納される解除位置とに切り換える開閉規制手段を構成している。ロッド棒７の頭部７ａの断面形状は挿通筒部５１２ｅの貫通路の断面形状と略同じ断面略四角形状であり、ロッド棒７が端部キャップ５の挿通筒部５１２ｅ内で回転することなく、スムーズな上下動を可能にしている。
そして、本実施形態の建具に用いられる端部キャップ５は、挿通筒部５１２ｅがキャップ本体部５１を貫いて上方に延びて上方筒状部５１２ｆを形成しているので、ロッド棒７の頭部７ａをロッド受け８に到るまでの広い範囲に亘って案内することができる。
【００１９】
（本実施形態に用いられる端部キャップの作用・効果）
本実施形態の端部キャップ５は、ロッド棒７の頭部７ａを案内する挿通筒部５１２ｅが、挿入部５１２の見込み方向中央位置で戸先側寄りに形成され、挿通筒部５１２ｅの見付け面と外周壁とが見込み方向に向かって放射状に延びる連結壁部５１２ｇで連結されているので、見込み方向の外力に対して効率的に対抗できる。また、反対に、右縦框２４にかかる外力に対しても複数の連結壁部５１２ｇによって抵抗することができ、右縦框２４の変形を防止することができるとともに、挿通筒部５１２ｅへの影響を抑制することができる。
さらに、外周壁の吊元側の外周壁が凹壁５１２ｄにより構成され、右縦框２４の内周面との間に凹部を形成しているので、右縦框２４の見付け寸法を大きくすることなく、右縦框２４と上框２１との接続部や右縦框に対する端部キャップ５の接続部を収めることができる。
【００２０】
以上のように、召合せ框の端部に装着され、フランス落し等のロッド棒を上下動自在に案内する端部キャップが、召合せ框の内周面に当接する外周壁と、ロッド棒をガイドする挿通筒部と、挿通筒部の室内側見付け壁から外周壁に対して見込み方向に向かって放射状に延びる連結壁部によって連結して一体化して形成しているので、風等により建具にかかる室内外方の外力に対して有効に抵抗することができる。
そして、挿通筒部の吊元側から傾斜して延びる連結壁部によって端部キャップ５の吊元側の凹壁を形成しており、端部キャップの見付け方向全域に亘って連結壁部を形成しているので、見込み方向の強度を低下させることなく、右縦框の内周との間に固定手段等を収納する凹部を形成することができ、また、右縦框の見付け幅を大きくする必要もない。
【００２１】
なお、上記の説明においては、主に、召合せ框の上端部に装着される端部キャップについて詳細に説明したが、本実施形態の建具においては、召合せ框の下端部にも同様の端部キャップを装着してロッド棒をガイドすることもできる。
【符号の説明】
【００２２】
１        ：枠体
２        ：子障子
２１      ：上框
２１１    ：上框本体部
２１２    ：上框室外壁部
２２      ：下框
２３      ：右縦框
２４      ：右縦框
２４１    ：右縦框本体部
２４２    ：右縦框室外壁部
２４３    ：召合せ受部
３        ：親障子
３１      ：上框
３２      ：下框
３３      ：左縦框
３４      ：右縦框
５        ：端部キャップ
５１      ：キャップ本体部
５１１    ：キャップ部
５１１ａ  ：開口部
５１１ｂ  ：係止片
５１２    ：挿入部
５１２ａ  ：見込み壁
５１２ｂ  ：見付け壁
５１２ｃ  ：見付け壁
５１２ｄ  ：凹壁
５１２ｅ  ：挿通筒部
５１２ｆ  ：上方筒状部
５１２ｇ  ：連結壁部
５１３    ：挟持壁部
５２      ：当接壁部
５３      ：召合せ受部カバー
６        ：補強材
６ａ      ：係止孔
７        ：ロッド棒
７ａ      ：頭部
８        ：ロッド受け
【図１】
0006581486.tif 000002
【図２】
0006581486.tif 000003
【図３】
0006581486.tif 000004
【図４】
0006581486.tif 000005
【図５】
0006581486.tif 000006
【図６】
0006581486.tif 000007